(57)【要約】【課題】スイッチノブにおけるコンタクトの保持力を適正に確保できる技術を提供する。【解決手段】図８（ａ）に示すように、コンタクト１１は、治具９０で連結ベース部２１を挟まれる。治具９０の先端部分はハネ部２４の上端部分に当接して押している。そして図８（ｂ）に示すように、治具９０は、保持部２２の中央の開口部分を中央リブ３１に嵌め込むようにハネ部２４を押し続け，図８（ｃ）に示すよう所定の最終位置まで押しきり、係止カギ２３が中央リブ３１の斜面に係止する。このとき、治具９０がハネ部２４を押しているので、ハネ部２４が中央リブ３１に挿入されるに伴って広がることはない。【選択図】図８
2014172488.tif 000002
【特許請求の範囲】
【請求項１】
凸状のリブを挟持可能に先端部分が分離した保持部と、
前記保持部と一体に形成されたベース部と、
前記保持部において、前記ベース部より外側に広がって形成されたハネ部と
を備えることを特徴とするコンタクト端子金具。
【請求項２】
前記ベース部によって連結された２つの前記保持部を備え、
前記ベース部は、前記保持部を同一方向に向けるように屈曲していることを特徴とする請求項１に記載のコンタクト端子金具。
【請求項３】
前記ハネ部は、治具が押し当て可能に形成されていることを特徴とする請求項１または２に記載のコンタクト端子金具。
【請求項４】
請求項１から３までのいずれかに記載のコンタクト端子金具と、
前記コンタクト端子金具によって挟持され保持される前記リブを有するスイッチノブと
を備えたことを特徴とするスイッチ。
【請求項５】
請求項４に記載のスイッチを備えることを特徴とするランプ装置。
【発明の詳細な説明】
【技術分野】
【０００１】
本発明は、コンタクト端子金具、スイッチ及びランプ装置に係り、例えば、車両や旅客機内のマップランプや室内灯等に用いることができるコンタクト端子金具、スイッチ及びランプ装置に関する。
【背景技術】
【０００２】
従来より、車両等の室内灯に用いられる照明装置が知られており、構成部品の精度を確保するために各種の技術が提案されている。例えば、ユーザの操作性に直結する構成部品のひとつであるスイッチノブのがたつきを低減した技術がある（例えば、特許文献１参照）。
【０００３】
ここで、図１にスイッチノブの組み付け精度を確保する技術が適用されたランプアッシー（マップランプ）１００の分解斜視図を示す。この分解斜視図は裏面側から見たものである。また、図２に図１のスイッチノブ１１０の構成を示す。図１に示すように、ランプアッシー１００の樹脂製のハウジング１０１の裏面側には、金属導体（銅合金等）のバスバ１０４と、ステンレス製の金属クリップ１０７とが所定位置に配置される。また、表面側には、ＬＥＤ等のバルブアッシー１０８、銅合金等のコンタクト１１１を備える樹脂製のスイッチノブ１１０と、樹脂製のレンズ１１２とを所定位置に配置される。
【０００４】
また、図２に示すスイッチノブ１１０の様に、スイッチノブ１１０の裏面側（図中上側）には、所定間隔に形成された柱状の２つの固定部１２１が形成されている。さらに、固定部１２１の先端面にはロック係り面１２２が形成されている。ロック係り面１２２にコンタクト１１１が取り付けられる。コンタクト１１１は、板状で略Ｗ字状のベース部１３１と、ベース部１３１から延出する２本の端子本体１３２を備える。また、ベース部１３１は、左右の両端に形成されたコンタクト１１１が固定部１２１に圧入される第１の保持部１３４と、下側端部にＬ字状に屈曲して第２の保持部１３５とを備える。第２の保持部１３５は、圧入後に固定部１２１に形成されたスイッチノブ固定部に引っ掛かり、保持力が増加されるようになっている。
【先行技術文献】
【特許文献】
【０００５】
【特許文献１】特開２０１３−３０３１１号公報
【発明の概要】
【発明が解決しようとする課題】
【０００６】
ところで、図１及び図２で示した構造の場合、コンタクト１１１をスイッチノブ１１０に圧入する際に、スイッチノブ１１０のロック係り面１２２および固定部１２１が左右に広がるように変形することから、第１のコンタクト保持部１３４のロック係り量が減少し、保持力が低下する恐れがあることから、設計の困難さが伴い、別の技術が求められていた。
【０００７】
本発明の目的は、このような状況に鑑みてなされたものであり、上記課題を解決する技術を提供することにある。
【課題を解決するための手段】
【０００８】
本発明のコンタクト端子金具は、凸状のリブを挟持可能に先端部分が分離した保持部と、前記保持部と一体に形成されたベース部と、前記保持部において、前記ベース部より外側に広がって形成されたハネ部とを備える。
また、前記ベース部によって連結された２つの前記保持部を備え、前記ベース部は、前記保持部を同一方向に向けるように屈曲してもよい。
また、前記ハネ部は、治具が押し当て可能に形成されてもよい。
本発明のスイッチは、上述のコンタクト端子金具と、前記コンタクト端子金具によって挟持され保持される前記リブを有するスイッチノブとを備える。
本発明のランプ装置は、上述のスイッチを備える。
【発明の効果】
【０００９】
本発明によれば、スイッチノブにおけるコンタクトの保持力を適正に確保できる技術を提供することができる。
【図面の簡単な説明】
【００１０】
【図１】背景技術に係る、ランプアッシーの分解斜視図である。
【図２】背景技術に係る、スイッチノブの構成を示す図である。
【図３】発明の実施形態に係る、ランプアッシーの斜視図である。
【図４】発明の実施形態に係る、ランプアッシーの分解斜視図である。
【図５】発明の実施形態に係る、ランプアッシーの第１の組み立て工程を示す図である。
【図６】発明の実施形態に係る、ランプアッシーの第２の組み立て工程を示す図である。
【図７】発明の実施形態に係る、第１のスイッチノブとコンタクトで構成されるロッカー式スイッチを示す図である。
【図８】発明の実施形態に係る、スイッチノブとコンタクトとの組み立て工程を示す図である。
【発明を実施するための形態】
【００１１】
以下、発明を実施するための形態（以下、「実施形態」という）を、図面を参照しつつ説明する。
【００１２】
図３は本実施形態に係るランプアッシー５０を示す斜視図であって、図３（ａ）は表面側から見た斜視図であって、図３（ｂ）は裏面側からみた斜視図である。また，図４は、ランプアッシー５０の表面側からみた分解斜視図である。このランプアッシー５０は、例えば自動車や鉄道車両のマップランプ等の室内灯として好適な照明装置である。
【００１３】
図示のように、ランプアッシー５０は完成形として略長方形の形状を有している。具体的には、ランプアッシー５０は、完成品の外観としては、樹脂製のハウジング１と、ハウジング１の上面に取り付けられた樹脂製のレンズ１２とを備える。さらに、レンズ１２に形成された所定のスイッチ取付開口から表面を露出させた３つのスイッチノブ１０が設けられている。なお、スイッチノブ１０は中央のロッカー式スイッチを構成する第１のスイッチノブ１０ａと、その左右に配置されたプッシュ式スイッチを構成する第２のスイッチノブ１０ｂとから構成されている。第１及び第２のスイッチノブ１０ａ、１０ｂを区別しないときには、単に「スイッチノブ１０」と称する。また、ハウジング１の側面には金属クリップ７が設けられている。
【００１４】
図４の分解斜視図及び図５及び図６のランプアッシー５０の組み立て工程図を参照してよりランプアッシー５０の構成要素について具体的に説明する。
【００１５】
図５（ａ）に示すように、ハウジング１の表面側（図中上側）の長手方向左右略中央付近の所定の位置に、基板２が取り付けられ、図５（ｂ）に示すように、基板２の右側に銅合金のサブバスバ３が取り付けられる。つづいて、図５（ｃ）に示すように、基板２及びサブバスバ３の上側に銅合金のメインバスバ４が取り付けられる。
【００１６】
つぎに、図５（ｄ）に示すようにメインバスバ４が配置されたハウジング１の所定の位置に樹脂製のプリズム５が取り付けられ、つづいて、図５（ｅ）に示すようにハウジング１の上を覆うようにインナーカバー６が取り付けられる。
【００１７】
さらに、図６（ａ）に示すようにハウジング１の長手方向の側面に４つの金属クリップ７が取り付けられる。つづいて、図６（ｂ）に示すようにハウジング１の裏面の所定の位置に形成されたバルブ用開口４１に２つのバルブアッシー８が取り付けられる。更に、図６（ｃ）に示すように、第２のスイッチノブ１０ｂに対応するプッシュスイッチ９がインナーカバー６に形成された所定の位置に取り付けられる。
【００１８】
づぎに、図６（ｄ）に示すように、第１のスイッチノブ１０ａの裏面側にコンタクト１１が取り付けられる。この取付構造については図７及び図８の説明において後述する。
【００１９】
つづいて、図６（ｅ）に示すように第１及び第２のスイッチノブ１０ａ、１０ｂが、ハウジング１に取り付けられたインナーカバー６に形成されている所定の開口４２ａ、４２ｂに配置され固定される。最後に、図６（ｆ）に示すように、レンズ１２がインナーカバー６の上から取り付けられ固定される。レンズ１２には、スイッチノブ１０に対応して所定の位置に開口４３ａ、４３ｂが形成され、スイッチノブ１０の端部が操作可能に露出している。
【００２０】
図７は第１のスイッチノブ１０ａとコンタクト１１で構成されるロッカー式スイッチ（ロッカースイッチ）を示す図であり、図７（ａ）は分解斜視図であり、図７（ｂ）は底面図である。また、図８は、図７（ｂ）のＡ−Ａ断面に着目してコンタクト１１のスイッチノブ１０への取付工程を示している。
【００２１】
まず、図７に示すように、第１のスイッチノブ１０ａの裏面には垂直に延出する２つのコンタクト固定部３０が左右方向に左右対称となるように所定間隔で形成されている。それぞれのコンタクト固定部３０にはコンタクト１１の保持部２２が取り付けられる。
【００２２】
より具体的には、１つのコンタクト固定部３０は、幅方向（図中Ｙ矢印方向）の中央の中央リブ３１と、その両サイドの２つのサイド保持枠３２とを備える。
【００２３】
中央リブ３１は、コンタクト１１の保持部２２に挟持されるようになっており、ここでは、短手側面側（図７（ａ）では左下側または右上側）からみて、下方向に広がる斜面が形成されている（例えば図８（ａ）参照）。この斜面部分に、コンタクト１１の保持部２２に形成された係止カギ２３が引っ掛かるように係止する。サイド保持枠３２は、リブ状形状の先端部分がＸ方向に二股に分離するように形成されており、二股の開口開口部分に保持部２２が配置され、そのＸ方向の移動を制限するいわゆる位置決め手段として機能する。
【００２４】
コンタクト１１は、銅合金の金属板をプレス加工等によって形成されており、長手方向（図７（ａ）Ｘ方向）の中央の連結ベース部２１とその両サイドの保持部２２とを備えている。連結ベース部２１は断面山型となっており特に頂部が鋭角になっている。さらに、連結ベース部２１の左右の両端部は内側に屈曲して保持部２２に連続している。つまり、保持部２２は同一方向を向いて連結ベース部２１と一体に形成されている。
【００２５】
保持部２２は中央リブ３１を挟む二股形状となっており、中央の台形形状の開口部分には左右対称の係止カギ２３が形成されている。
【００２６】
また、保持部２２の両サイド上側にはハネ部２４が形成されている。具体的には、保持部２２の根元部分（連結ベース部２１との境界部分）は、コンタクト１１の幅と同一の幅で所定長延出して形成されている。ここでは、ちょうど中央の開口部分の最深部と略一致する部分まで形成されている。そしてその所定長延出した位置で外側に広がるハネ部２４が形成されている。ハネ部２４の上端部分は水平に、より具体的にはコンタクト１１のコンタクト固定部３０の挿入方向に対して垂直に形成されている。なお、ハネ部２４の上端部分は水平に形成されているので、後述のように治具９０に押し当てが容易になっているが、この形状に限る趣旨ではなく、治具９０による押し当てが適正に作用する形状であればよい。
【００２７】
このような構成のコンタクト１１をコンタクト固定部３０に挿入する手順を図８を参照して説明する。
【００２８】
図８（ａ）に示すように、まず、コンタクト１１は、所定の治具９０で連結ベース部２１を挟まれる。このとき、治具９０の先端部分はハネ部２４の上端部分に当接して押している。そして図８（ｂ）に示すように、治具９０は、保持部２２の中央の開口部分を中央リブ３１に嵌め込むようにハネ部２４を押し続け，図８（ｃ）に示すよう所定の最終位置まで押しきり、係止カギ２３が中央リブ３１の斜面に係止する。
【００２９】
コンタクト１１を中央リブ３１に挿入する際に、治具９０によりハネ部２４を押さない場合、図８（ｄ）に示すように保持部２２が外側に広がってしまう。ここでは、保持部２２の開き具合は実際より大きく表示している。そして、その結果、中央リブ３１への係止カギ２３の引っ掛かりが不十分となって保持力低下が発生する。
【００３０】
しかし、本実施形態では、図８（ｂ）及び図８（ｃ）で示すように、コンタクト１１の中央リブ３１への組み付け作業時に、治具９０がハネ部２４を押しているので、ハネ部２４が中央リブ３１に挿入されるに伴って広がることはない。したがって、係止カギ２３の係り代を設計の狙い値通りにすることができ、所望の保持力を確保することができる。
【００３１】
以上、本実施形態において、コンタクト固定部３０の中央リブ３１を挟み込む形状を備えるコンタクト１１において、コンタクト１１の外側形状部分に、つまり保持部２２の両側面にスイッチノブ１０への挿入時に治具等で押すためのハネ部２４を設けた。その結果、コンタクト１１の保持部２２が外に広がり変形してしまうのを防止できる。つまり、コンタクト１１のスイッチノブ１０への保持力を適正に保持することができる。
【００３２】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。
【符号の説明】
【００３３】
１  ハウジング
１０  スイッチノブ
１０ａ  第１のスイッチノブ
１０ｂ  第２のスイッチノブ
１１  コンタクト（コンタクト端子金具）
２１  連結ベース部
２２  保持部
２３  係止カギ
２４  ハネ部
３０  コンタクト固定部
３１  中央リブ
５０  ランプアッシー（ランプ装置）
９０  治具
【図１】
2014172488.tif 000003
【図２】
2014172488.tif 000004
【図３】
2014172488.tif 000005
【図４】
2014172488.tif 000006
【図５】
2014172488.tif 000007
【図６】
2014172488.tif 000008
【図７】
2014172488.tif 000009
【図８】
2014172488.tif 000010